(57)【要約】【課題】２つに分離した場合にインレットシートが一方のみに含まれながらも、所望の通信距離を確保することができ、かつ、全体の大きさを大きくすることなく、２つに分離した後に分離とは別の処理によって視認可能となるクーポン情報を付与する。【解決手段】周縁部にて互いに貼着され、互いに貼着された領域の一部が切り離し可能に構成された表面シート１１０及び裏面シート１２０と、表面シート１１０と裏面シート１２０との非貼着部分が、互いに貼着された領域に囲まれることにより形成された袋部と、表面シート１１０と裏面シート１２０との間に、表面シート１１０及び裏面シート１２０の切り離し可能となる部分に貼着されるとともに、表面シート１１０と裏面シート１２０との非貼着部分に配置されたインレットシート１３０とを有し、表面シート１１０が、裏面シート１２０との非貼着部分に袋部内を視認可能とする見開き構造を有する。【選択図】図１
2010020456.tif 000002
【特許請求の範囲】
【請求項１】
周縁部にて互いに貼着され、互いに貼着された領域の一部が切り離し可能に構成された第１及び第２のシートと、
前記第１のシートと第２のシートとの非貼着部分が前記互いに貼着された領域に囲まれることにより形成された袋部と、
非接触状態にて情報の書き込み及び／または読み出しが可能なＩＣチップと、該ＩＣチップに接続されたアンテナとを具備し、前記第１のシートと前記第２のシートとの間に、前記第１及び第２のシートの切り離し可能となる部分に貼着されるとともに前記非貼着部分に配置されたインレットシートとを有し、
前記第１のシートは、前記前記第２のシートとの非貼着部分に前記袋部内を視認可能とする見開き構造を有するＲＦ−ＩＤタグ。
【発明の詳細な説明】
【技術分野】
【０００１】
本発明は、非接触状態にて情報の書き込みや読み出しが可能なＲＦ−ＩＤタグに関する。
【背景技術】
【０００２】
従来より、店舗等にて陳列、販売される商品においては、その商品の商品番号、サイズ、色、値段等といった商品に関する情報が表示されたタグが取り付けられ、タグに表示された情報が消費者に示されるとともに、店舗側においてタグに表示された情報を用いて商品管理が行われている。このような商品に取り付けられるタグとしては、最も簡単な構造のものとして、取り付けられた商品に関する情報が表示されただけのものから、商品番号がバーコード表示されたもの等がある。さらには、近年においては、非接触状態にて情報の書き込みや読み出しが可能なＩＣチップが内蔵されたＲＦ−ＩＤタグが用いられている。
【０００３】
非接触状態にて情報の書き込みや読み出しが可能なＩＣチップが内蔵されたＲＦ−ＩＤタグにおいては、書き込み可能な情報量が、タグに表示可能な情報量に比べて格段に多いこと、また、情報の書き換えが容易に行うことができること等から急速な普及が進みつつある。ＲＦ−ＩＤタグは、２つのコイルの誘電磁束による誘起電力を利用した電磁誘導方式によるものや、マイクロ波帯を利用して通信を行うマイクロ波方式によるもの等があるが、この中でも、マイクロ波帯を利用して通信を行うマイクロ波方式によるものは、ＩＣチップに接続された導電性のアンテナの長さによって通信距離を延ばすことができるため、近年ではその利用数が増加している。
【０００４】
また、このようなタグにおいては、店舗側において、取り付けられた商品の販売履歴を管理するために２つに分離可能な構成とされている場合がある。そのため、ＩＣチップやアンテナを有する部分を含めて２つに分離可能とすることが考えられるが、その場合、２つに分離したもののうち、販売後に商品に取り付けられたままとなった部分にＩＣチップやアンテナの一部が含まれていることとなるため、消費者においては、商品の購入後、何らかの情報の書き込み等が行われているのではないかという不安が生じてしまう虞れがある。そこで、ＩＣチップやアンテナを有する部分を、分離した２つの部分のうち商品から分離されるもののみに内蔵することが考えられる。ところが、上述したようなマイクロ波帯を利用して通信を行うものにおいては、通信距離を確保するためにはアンテナの長さが長い方が好ましいため、ＩＣチップやアンテナを有する部分を、分離した一方のみに内蔵した場合、所望の通信距離を確保するためにタグの大きさが大きくなってしまったり、タグの大きさに合わせるとアンテナの長さが短くしかとれず、所望の通信距離を確保することができなくなってしまったりすることになる。
【０００５】
ここで、ＩＣチップとアンテナが内蔵されたタグ本体の表面に、情報が印字されたラベルが剥離可能に貼着されたＲＦＩＤタグが考えられている（例えば、特許文献１参照。）。このＲＦＩＤタグを用いた場合、アンテナの長さをＲＦＩＤタグ全体の大きさに応じたものとすることができるとともに、ラベルをタグ本体から剥離することにより２つに分離し、その一方のみにＩＣチップとアンテナを内蔵することができる。
【０００６】
ところで、サービス券や割引券等のクーポンにおいては、商品等を提供する企業や店舗等から消費者に提供されており、クーポンが提供された消費者は、このクーポンを利用して店舗等において所定の割引等の特典を受けることになる。また、商品等を提供する企業や店舗等においては、上述したようなクーポンを消費者に提供することにより、消費者に対する割引等の特典を通じて売上拡大を図っている。このようなクーポンは、一般的に、折り込み広告や雑誌広告等に掲載したり、企業や店舗等にて配布したりする等の方法で消費者に提供されている。
【０００７】
ここで、上述したような商品に取り付けられるタグにクーポン情報を表示しておけば、上述したようなクーポンを配布する手間を省くことができるとともに、商品を購入した消費者にクーポンを提供することができる。
【０００８】
ところが、商品に取り付けられるタグにクーポン情報を表示しておく場合、そのためのスペースが必要となり、タグが大型化してしまう。そこで、特許文献１に記載されたようなＲＦＩＤタグにおいて、タグ本体のラベルの貼着面にクーポン情報を表示しておけば、タグを大型化することなく、クーポン情報をタグに表示することができるようになる。
【特許文献１】特開２００６−１１３２０号公報
【発明の開示】
【発明が解決しようとする課題】
【０００９】
特許文献１に記載されたＲＦＩＤタグにおいてタグ本体のラベルの貼着面にクーポン情報を表示しておく場合、そのクーポン情報は、商品が販売されて店舗のレジにてタグ本体からラベルが剥離された際に視認可能な状態となる。
【００１０】
ここで、タグ本体に表示されたクーポン情報が、単なる割引を示すような情報である場合は、店舗のレジにてタグ本体からラベルが剥離された際に視認可能な状態となっても消費者にとっては違和感がないが、当たり／はずれ等といったくじの要素を持つ情報である場合、一般的にくじは、自分が、削る、捲る、あるいは袋から出す等の動作によってその結果が視認可能となるため、消費者にとって違和感が生じてしまうという問題点がある。
【００１１】
本発明は、上述したような従来の技術が有する問題点に鑑みてなされたものであって、非接触状態にて情報の書き込みや読み出しが可能なＩＣチップとＩＣチップに接続されたアンテナとを具備するインレットシートを有してなるＲＦ−ＩＤタグにおいて、２つに分離可能な構成を具備し、分離した場合にインレットシートが一方のみに含まれながらも、所望の通信距離を確保することができ、かつ、ＲＦ−ＩＤタグ全体の大きさを大きくすることなく、２つに分離した後に分離とは別の処理によって視認可能となるクーポン情報を付与することができるＲＦ−ＩＤタグを提供することを目的とする。
【課題を解決するための手段】
【００１２】
上記目的を達成するために本発明は、
周縁部にて互いに貼着され、互いに貼着された領域の一部が切り離し可能に構成された第１及び第２のシートと、
前記第１のシートと第２のシートとの非貼着部分が前記互いに貼着された領域に囲まれることにより形成された袋部と、
非接触状態にて情報の書き込み及び／または読み出しが可能なＩＣチップと、該ＩＣチップに接続されたアンテナとを具備し、前記第１のシートと前記第２のシートとの間に、前記第１及び第２のシートの切り離し可能となる部分に貼着されるとともに前記非貼着部分に配置されたインレットシートとを有し、
前記第１のシートは、前記前記第２のシートとの非貼着部分に前記袋部内を視認可能とする見開き構造を有する。
【００１３】
上記のように構成された本発明においては、第１及び第２のシートの互いに貼着された領域の一部を切り離すと、その一部に貼着されるとともに第１のシートと第２のシートとの非貼着部分に配置されたインレットシートが、第１及び第２のシートの切り離された領域とともに第１及び第２のシートから分離する。その後、第１のシートに設けられた見開き構造によって、第１のシートと第２のシートとの非貼着部分がこれらが互いに貼着された領域に囲まれることにより形成された袋部内を視認することができ、それにより、第２のシートの袋部となる領域にクーポン情報を表示しておけば、そのクーポン情報が視認されることになる。
【発明の効果】
【００１４】
以上説明したように本発明においては、第１のシートと第２のシートとの間に、第１及び第２のシートの切り離し可能となる部分に貼着されるとともに、第１のシートと第２のシートとの非貼着部分にインレットシートが配置されているため、インレットシートのアンテナの長さが、第１及び第２のシートの切り離し可能となる部分の大きさに応じたものとする必要はなく、第１及び第２のシートに応じた大きさとすることができる。それにより、所望の通信距離を確保することができる。また、第１及び第２のシートの互いに貼着された領域の一部を切り離すことにより、インレットシートを第１及び第２のシートの切り離された領域とともに第１及び第２のシートから分離することができる。また、第１のシートが、第２のシートとの貼着部分に、第１のシートと第２のシートとの非貼着部分がこれらが互いに貼着された領域に囲まれることにより形成された袋部内を視認可能とする見開き構造を有する構成としたため、第２のシートの袋部となる領域にクーポン情報を表示しておけば、ＲＦ−ＩＤタグ全体の大きさを大きくすることなく、第１及び第２のシートを２つに分離した後に分離とは別の処理によって視認可能となるクーポン情報を付与することができる。
【発明を実施するための最良の形態】
【００１５】
以下に、本発明の実施の形態について図面を参照して説明する。
【００１６】
図１は、本発明のＲＦ−ＩＤタグの実施の一形態を示す図であり、（ａ）は表面図、（ｂ）は（ａ）に示したＡ−Ａ’断面図、（ｃ）は表面シート１１０の裏面シート１２０との貼着面を示す図、（ｄ）はインレットシート１３０の構成を示す図、（ｅ）は裏面シート１２０の表面シート１１０との貼着面を示す図である。
【００１７】
本形態は図１に示すように、第１のシートである表面シート１１０と、第２のシートである裏面シート１２０とが、インレットシート１３０を挟み込んだ状態で、表面シート１１０に塗布された粘着剤１４０ｂによってその周縁部にて互いに貼着されて構成されている。
【００１８】
表面シート１１０は、分離片１１１と残存片１１２とが連接し、分離片１１１がミシン目１１３によって切り離し可能に構成されている。表面シート１１０の裏面には、その周縁部に粘着剤１４０ｂが塗布されており、この粘着剤１４０ｂによって表面シート１１０と裏面シート１２０とが貼着されているとともに、表面シート１１０とインレットシート１３０とが貼着されている。これにより、表面シート１１０は、裏面シート１２０に貼着された領域の一部がミシン目１１３によって切り離し可能に構成されていることになる。また、ミシン目１１３の端部には、分離部１１１と残存部１１２とを切り離す際のきっかけとなる切り込み１１９が形成されている。分離片１１１と残存片１１２のそれぞれには、このＲＦ−ＩＤタグが取り付けられる商品の商品番号やサイズ、色、価格等の商品に関する情報が表示される情報表示部１１５ａ，１１５ｂが同一面にて設けられている。また、このＲＦ−ＩＤタグが取り付けられる商品の商品番号がバーコード表現されたバーコード情報１１７ａ，１１７ｂが分離片１１１と残存片１１２のそれぞれの同一面にて表示されており、このバーコード情報１１７ａ，１１７ｂを読み取ることによって、取り付けられた商品が識別可能となっている。また、残存片１１２には、このＲＦ−ＩＤタグを商品に取り付けるための取り付け穴１１４が設けられている。また、残存片１１２には、裏面に粘着剤１４０ｂが塗布されていない領域、すなわち裏面シート１２０との非貼着部分に、粘着剤１４０ｂに沿うようにミシン目１１６が形成されており、このミシン目１１６によって後述する見開き構造が構成されている。
【００１９】
裏面シート１２０は、表面シート１１０に塗布された粘着剤１４０ｂによって表面シート１１０に貼着され、表面シート１１０の分離片１１１に対向する分離片１２１が、表面シート１１０の残存片１１２に対向する残存片１２２からミシン目１２３によって切り離し可能に連接して構成されている。これにより、裏面シート１２０は、表面シート１１０に貼着された領域の一部がミシン目１２３によって切り離し可能に構成されている。また、ミシン目１２３の端部には、表面シート１１０と同様に切り込み１２９が形成されている。また、インレットシート１３０に対向する領域のうちインレットシート１３０が表面シート１１０に貼着された領域に対向する領域に粘着剤１４０ａが塗布されており、それにより、インレットシート１３０が分離片１２１に貼着されている。また、表面シート１１０との非貼着部分のうちミシン目１１６に囲まれた領域に対向する部分にクーポン情報１２５が表示されている。また、表面シート１１０との貼着面とは反対側の面には、例えば、このＲＦ−ＩＤタグが取り付けられる商品のブランド等を示す情報が表示されている。
【００２０】
上述したように、表面シート１１０と裏面シート１２０とは、表面シート１１０の裏面に塗布された粘着剤１４０ｂによって周縁部にて互いに貼着されており、粘着剤１４０ｂによって囲まれた領域が非貼着部分となっている。このように、表面シート１１０と裏面シート１２０との非貼着部分が、表面シート１１０と裏面シート１２０とが粘着剤１４０ｂによって互いに貼着された領域に囲まれることにより袋部が形成されている。表面シート１１０にミシン目１１６によって構成された見開き構造は、この袋部となる領域に設けられていることとなり、ミシン目１１６を破断することにより袋部の内部が視認可能となる。
【００２１】
インレットシート１３０は、ＰＥＴ樹脂等からなるベース基材１３３上に、二等辺三角形からなる導体部１３２ａ，１３２ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナが形成されており、この２つの導体部１３２ａ，１３２ｂに接続されるように、非接触状態にて情報の書き込み及び読み出しが可能なＩＣチップ１３１が搭載されて構成されている。このように構成されたインレットシート１３０は、表面シート１１０と裏面シート１２０との間に、表面シート１１０及び裏面シート１２０の分離片１１１，１２１と残存片１１２，１２２とを跨るように配置され、裏面シート１２０及び表面シート１１０の裏面にそれぞれ塗布された粘着剤１４０ａ，１４０ｂによって分離片１１１，１２１のみに貼着されている。すなわち、インレットシート１３０は、表面シート１１０及び裏面シート１２０の分離片１１１，１２１に貼着されるとともに、表面シート１１０と裏面シート１２０との非貼着部分に配置されている。このように、インレットシート１３０が、切り離される分離片１１１，１２１と残存片１１２，１２２とを跨るように配置されているため、インレットシート１３０のアンテナの長さが、分離片１１１，１２１や残存片１１２，１２２の大きさに応じたものとはなっておらず、それにより、所望の通信距離を確保することができる。
【００２２】
上記のように構成されたＲＦ−ＩＤタグを製造する場合は、まず、連続状の表面シート１１０の一方の面に図１（ｃ）に示したようなパターンで粘着剤１４０ｂを塗布するとともに、連続状の裏面シート１２０の一方の面に図１（ｅ）に示したようなパターンで粘着剤１４０ａを塗布し、また、裏面シート１２０の残存片１２２となる領域にクーポン情報１２５を印刷し、これら表面シート１１０と裏面シート１２０を搬送してくる。
【００２３】
次に、表面シート１１０の粘着剤１４０ｂが塗布された面と、裏面シート１２０の粘着剤１４０ａが塗布された面とを対向させ、その間に単片状のインレットシート１３０を挟み込み、裏面シート１２０及び表面シート１１０とインレットシート１３０とを粘着剤１４０ａ，１４０ｂによってそれぞれ貼着するとともに、表面シート１１０と裏面シート１２０とを粘着剤１４０ｂによって貼着する。
【００２４】
そして、表面シート１１０と裏面シート１２０にミシン目１１３，１１６，１２３及び切り込み１１９，１２９をそれぞれ形成するとともに、取り付け穴１１４，１２４をそれぞれ形成し、表面シート１１０と裏面シート１２０とを単片状に断裁する。
【００２５】
その後、表面シート１１０に対して、分離片１１１及び残存片１１２の情報表示部１１５ａ，１１５ｂに商品に関する情報をそれぞれ印刷するとともに、分離片１１１と残存片１１２にバーコード情報１１７ａ，１１７ｂをそれぞれ印刷する。
【００２６】
このように、分離片１１１と残存片１１２とに商品に関する情報を印刷する際、これらが表面シート１１０の同一面に印刷されることになるため、分離片１１１の情報表示部１１５ａに印刷する情報及びバーコード情報１１７ａと、残存片１１２の情報表示部１１５ｂに印刷する情報及びバーコード情報１１７ｂとのマッチングミスが生じてしまうことがなくなる。
【００２７】
以下に、上述したＲＦ−ＩＤタグの使用方法について説明する。
【００２８】
図２は、図１に示したＲＦ−ＩＤタグの使用方法を説明するための図である。
【００２９】
図１に示したＲＦ−ＩＤタグは図２（ａ）に示すように、取り付け穴１１４，１２４に通された樹脂ワイヤー等によって商品１６０に取り付けられて使用される。分離片１１１及び残存片１１２に設けられた情報表示部１１５ａ，１１５ｂには、取り付けられた商品１６０の商品番号や、サイズ、色、価格がそれぞれ印刷されており、また、商品番号がバーコード表現されたバーコード情報１１７ａ，１１７ｂが印刷されている。また、インレットシート１３０のＩＣチップ１３１にも商品番号が書き込まれている。なお、インレットシート１３０のＩＣチップ１３１には、このＲＦ−ＩＤタグが取り付けられた商品１６０の流通過程を示す情報を書き込んでおくこともできる。
【００３０】
消費者は、分離片１１１及び残存片１１２に設けられた情報表示部１１５ａ，１１５ｂに印刷された情報を参照して商品１６０を購入することになる。
【００３１】
ＲＦ−ＩＤタグが取り付けられた商品１６０が消費者によって購入される場合、店舗のレジ等において、図２（ｂ）に示すように、表面シート１１０に形成されたミシン目１１３と裏面シート１２０に形成されたミシン目１２３とが、切り込み１１９，１２９をきっかけとして破断されていく。
【００３２】
そして、ミシン目１１３，１２３が全て破断すると、表面シート１１０と裏面シート１２０との間に挟み込まれたインレットシート１３０が、表面シート１１０の分離片１１１と裏面シート１２０の分離片１２１とに貼着されており、表面シート１１０の残存片１１２と裏面シート１２０の残存片１２２とには貼着されていないため、図２（ｃ）に示すように、インレットシート１３０が貼着した分離片１１１，１２１が、残存片１１２，１２２から切り離されることになる。
【００３３】
残存片１１２，１２２から切り離された分離片１１１，１２１及びインレットシート１３０は、その後、この商品１６０を販売した店舗に保管され、情報表示部１１５ａに表示された商品に関する情報やバーコード情報１１７ａ、あるいはインレットシート１３０のＩＣチップ１３１に書き込まれた情報を用いて商品１６０の販売履歴が管理されることになる。なお、表面シート１１０と裏面シート１２０とを貼着するための粘着剤１４０ｂと、インレットシート１３０と裏面シート１２０とを貼着するための粘着剤１４０ａを、所定の条件を付与することにより貼着後の剥離が容易となるものを用いれば、インレットシート１３０を分離片１１１，１２１から剥離して再利用することができる。
【００３４】
一方、分離片１１１，１２１とインレットシート１３０が切り離された残存片１１２，１２２は、商品１６０に取り付けられたままの状態で、この商品１６０を購入した消費者に渡される。このようにして、分離片１１１，１２１から切り離され、商品１６０に関する情報が情報表示部１１５ｂに表示された残存片１１２が商品１６０に取り付けられたままの状態とすることにより、商品１６０を購入した消費者に、商品１６０の購入後も商品３６０に関する情報を通知することができる。また、インレットシート１３０が、商品１６０に取り付けられたままとなる残存部１１２，１２２から分離されるので、商品１６０を購入した消費者にインレットシート１３０の一部が渡ることがない。
【００３５】
そして、商品１６０を購入した消費者によって、表面シート１１０の残存片１１２に形成されたミシン目１１６が破断されていくと、ミシン目１１６によって構成された見開き構造が見開かれ、図２（ｄ）に示すように、表面シート１１０と裏面シート１２０との非貼着部分によって形成された袋部内が視認可能となり、それにより、裏面シート１２０の袋部となる領域に表示されたクーポン情報１２５が視認されることとなる。
【００３６】
このように、商品１６０が販売された際に表面シート１１０及び裏面シート１２０が分離片１１１，１２１と残存片１１２，１２２とに分離された後に、これら分離片１１１，１２１と残存片１１２，１２２との分離とは別に、商品１６０を購入した消費者によってミシン目１１６が破断されることによりクーポン情報１２５を視認可能とすることができる。
【００３７】
その後、商品１６０を購入した消費者は、クーポン情報１２５が視認可能となったＲＦ−ＩＤタグを店舗等に持参し、クーポン情報１２５に応じた特典を受けることになる。
【００３８】
なお、本形態においては、インレットシート１３０が表面シート１１０の分離片１１１に粘着剤１４０ｂによって貼着されるともに裏面シート１２０の分離片１２１に粘着剤１４０ａによって貼着されているが、インレットシート１３０は、表面シート１１０の分離片１１１と裏面シート１２０の分離片１２１との少なくともいずれか一方に貼着されていればよい。
【００３９】
また、インレットシート１３０の構成は、上述したような構成を有するものに限らず、非接触状態にて情報の書き込み及び／または読み出しが可能なＩＣチップと、ＩＣチップに接続されたアンテナとを具備するものであればよい。
【図面の簡単な説明】
【００４０】
【図１】本発明のＲＦ−ＩＤタグの実施の一形態を示す図であり、（ａ）は表面図、（ｂ）は（ａ）に示したＡ−Ａ’断面図、（ｃ）は表面シートの裏面シートとの貼着面を示す図、（ｄ）はインレットシートの構成を示す図、（ｅ）は裏面シートの表面シートとの貼着面を示す図である。
【図２】図１に示したＲＦ−ＩＤタグの使用方法を説明するための図である。
【符号の説明】
【００４１】
１１０    表面シート
１１１，１２１    分離片
１１２，１２２    残存片
１１３，１１６，１２３    ミシン目
１１４，１２４    取り付け穴
１１５ａ，１１５ｂ    情報表示部
１１７ａ，１１７ｂ    バーコード情報
１１９    切り込み
１２０    裏面シート
１２５    クーポン情報
１３０    インレットシート
１３１    ＩＣチップ
１３２ａ，１３２ｂ    導体部
１３３    ベース基材
１４０ａ，１４０ｂ    粘着剤
１６０    商品
【図１】
2010020456.tif 000003
【図２】
2010020456.tif 000004